(57)【要約】【課題】加工性及び界面接着性がより高く、小型化を図ることの可能な殺菌装置を提供する。【解決手段】殺菌装置１は、被照射体を導入可能な中空部が内部に形成され、外周が熱可塑性樹脂層からなる被覆部５で被覆された筐体２と、筐体２の被覆部５で被覆されていない領域に配置され、中空部に向けて光を照射する光源６と、を備える。被覆部５として熱可塑性樹脂層を用いることにより、加工性及び界面接着性を向上させることができ、その結果、殺菌装置の小型化に有利な構造とすることができる。【選択図】図１
2019176985.tif 000002
【特許請求の範囲】
【請求項１】
被照射体を導入可能な中空部が内部に形成され、外周が熱可塑性樹脂層で被覆された筐体と、
前記筐体の前記熱可塑性樹脂層で被覆されていない領域に配置され、前記中空部に向けて光を照射する光源と、を備える殺菌装置。
【請求項２】
前記熱可塑性樹脂層は、熱可塑性樹脂の繊維で形成される請求項１に記載の殺菌装置。
【請求項３】
前記熱可塑性樹脂の繊維は、平均繊維径が０．１μｍ以上１．０μｍ以下である請求項２に記載の殺菌装置。
【請求項４】
前記熱可塑性樹脂層は、目付が１０ｇ／ｍ２以上５０ｇ／ｍ２以下であり、厚みが５０μｍ以上１０００μｍ以下である請求項２又は請求項３に記載の殺菌装置。
【請求項５】
前記熱可塑性樹脂層は、ポリオレフィン樹脂及びポリアミド樹脂の少なくとも一方を含む請求項１から請求項４のいずれか一項に記載の殺菌装置。
【請求項６】
前記筐体は、紫外線に対して高透過性の素材で形成されている請求項１から請求項５のいずれか一項に記載の殺菌装置。
【請求項７】
前記高透過性の素材は、石英である請求項６に記載の殺菌装置。
【請求項８】
前記筐体は、前記被照射体を前記中空部に流入するための流入口及び前記被照射体を前記中空部から流出するための流出口を備える請求項１から請求項７のいずれか一項に記載の殺菌装置。
【請求項９】
前記光源は、発光波長ピークが２００ｎｍ以上３００ｎｍ以下である請求項１から請求項８のいずれか一項に記載の殺菌装置。
【請求項１０】
前記光源は、発光ダイオードである請求項１から請求項９のいずれか一項に記載の殺菌装置。
【請求項１１】
前記被照射体は、流動性を有する液体状又は粉体状の物質である請求項１から請求項１０のいずれか一項に記載の殺菌装置。
【発明の詳細な説明】
【技術分野】
【０００１】
本発明は、殺菌装置に関する。
【背景技術】
【０００２】
紫外線には、殺菌能力があることから、水等の流体に紫外線を照射することで、流体を連続的に殺菌する装置が提案されている。このような装置として、紫外線を散乱及び透過させる材料を含む内側管を囲むように、紫外線を反射させる材料を含む外側管を配置し、光源部から照射された紫外線を、紫外線を反射させる外側管の内周面、または、紫外線を散乱及び透過させる内側管の内周面に反射させることによって、内側管の内部の流体に伝搬させるようにした殺菌装置が提案されている（例えば、特許文献１参照。）。
【先行技術文献】
【特許文献】
【０００３】
【特許文献１】特開２０１３−１５８７２２号公報
【発明の概要】
【発明が解決しようとする課題】
【０００４】
上記従来の殺菌装置においては、紫外線を反射させる材料を含む外側管として、アルミニウムまたはステンレス鋼といった金属を用いている。また、内側管として石英等を用いている。このように二重管構造であるため、加工性及び界面接着性がより高く、小型化を図ることの可能な殺菌装置が望まれていた。
そこで、この発明は従来の未解決の問題に着目してなされたものであり、加工性及び界面接着性がより高く、小型化を図る上で有利な構造の殺菌装置を提供することを目的としている。
【課題を解決するための手段】
【０００５】
本発明の一実施形態に係る殺菌装置は、被照射体を導入可能な中空部が内部に形成され、外周が熱可塑性樹脂層で被覆された筐体と、筐体の熱可塑性樹脂層で被覆されていない領域に配置され、中空部に向けて光を照射する光源と、を備えることを特徴としている。
【発明の効果】
【０００６】
本発明の一態様によれば、加工性及び界面接着性がより高く、小型化を図る上で有利な構造の殺菌装置を実現することができる。
【図面の簡単な説明】
【０００７】
【図１】本発明に係る殺菌装置の一例を示す構成図である。
【図２】本発明に係る殺菌装置のその他の例を示す構成図である。
【図３】本発明に係る殺菌装置のその他の例を示す構成図である。
【図４】本発明に係る殺菌装置のその他の例を示す構成図である。
【発明を実施するための形態】
【０００８】
次に、図面を参照して、本発明の実施形態を説明する。以下の図面の記載において、同一又は類似の部分には同一又は類似の符号を付している。ただし、図面は模式的なものであり、厚みと平面寸法との関係、各層の厚みの比率等は現実のものとは異なる。また、以下に示す実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【０００９】
図１は、本発明に係る殺菌装置１の一例を示す外観図であって、（ａ）は（ｂ）のＡ−Ａ′線断面図、（ｂ）は縦断面図、（ｃ）は（ｂ）のＢ−Ｂ′線断面図である。
図１に示すように、殺菌装置１は、両端が開口された筒状の筐体２と、被照射体としての例えば流体の筐体２への流入口２ｉｎを有する流入側接液部３と、筐体２からの流体の流出口２ｏｕｔを有する流出側接液部４と、筐体２の外周を覆うように配置された被覆部５と、紫外線を照射する光源６と、を備える。なお、ここでは、図１において上側を流入側、下側を流出側としているが、これに限るものではなく、下側を流入側、上側を流出側としてもよい。
【００１０】
筐体２は、高透過性の材料で形成された円筒形の部材であり、円筒形の内部の中空部に被照射体として流体を導入するようになっている。なお、ここでいう高透過性とは、２００ｎｍ以上３００ｎｍ以下の紫外線透過率が５０％以上である材料のことをいい、好ましくは８０％以上の材料のことをいう。高透過性とは、ある厚みで規格化した透過率ではなく、高透過性の材料で形成される壁材そのものの透過率を測定したときの透過率で定義する。測定は例えば紫外可視吸収分光光度計用いて行う。高透過性の材料としては、例えば紫外線透過性樹脂、石英を適用することができ、石英が好ましく、筐体２は、例えば石英管で形成される。石英としては溶融石英、合成石英等を適用することができる。
【００１１】
流入側接液部３は、流入口２ｉｎとなる孔を形成する円筒部３ａを有し、円筒部３ａの上端側外周面にフランジ部３ｂが形成されている。フランジ部３ｂの外径は、被覆部５の外径と同一である。円筒部３ａの外径は筐体２の内径と同一である。円筒部３ａを筐体２に挿入し、フランジ部３ｂと筐体２及び被覆部５の端部とを例えば接着樹脂により密着させることで筐体２内を水密に保つようになっている。
【００１２】
流出側接液部４は、円筒部４ａと、円筒部４ａよりも外径が小さい円柱部４ｂとを備える。円筒部４ａの下端側外周面にフランジ部４ａ′が形成され、フランジ部４ａ′の外径は、被覆部５の外径と同一である。円筒部４ａの外径は筐体２の内径と同一である。円柱部４ｂは、筐体２の中空部を向く面の中央部に光源６を設置するためのスペースが形成されている。円筒部４ａの内周側部分及び円柱部４ｂの外周側部分同士は、周方向の例えば１８０°離れた２箇所において、径方向を向く板状の部材４ｃで連結されることにより、互いに一体となっている。そして、円筒部４ａを筐体２に挿入し、フランジ部４ａ′と筐体２及び被覆部５の端部とを例えば接着樹脂で密着させることで、筐体２内を水密に保つようになっている。
そして、流出側接液部４の円筒部４ａの内周側部分と円柱部４ｂの外周側部分との間に形成される環状の空間部分が、流出口２ｏｕｔを形成している。
【００１３】
流入側接液部３及び流出側接液部４は、例えばステンレス鋼（ＳＵＳ）で形成される。なお、流入側接液部３及び流出側接液部４の材質は限定されるものではなく、例えば被照射体の性質によって選択することができる。例えば、食品製造や薬品製造等に関連する流体を扱う場合、具体的には例えば純水等の場合は、サニタリ用途のステンレス鋼でも良い。流入側接液部３及び流出側接液部４を樹脂で形成すれば安価に実現することができ、反射性能の高い樹脂や金属を用いれば、光源の光を効率良く反射することが可能であり、内部の流体に効率良く光を照射可能である。また、アルミニウム等の熱伝導性が高い金属で形成すれば放熱性を高めることができる。流入側接液部３及び流出側接液部４は、全体を一つの材質で構成してもよく、複数の材質を併用してもよい。例えば、光源６が設けられていない流入側接液部３には、樹脂、好ましくは高反射を有する樹脂を用い、光源６が設けられている流出側接液部４には、アルミニウム又はステンレス鋼を用いてもよい。
【００１４】
さらに接着に用いる接着剤は接着樹脂に限るものではなく、配管用シール材等を用いて接液してもよく、内部の水密性が損なわれないものを用いるのが好ましい。
被覆部５は、熱可塑性樹脂層で形成される。熱可塑性樹脂層は、例えば熱可塑性樹脂の繊維で形成される。熱可塑性樹脂の繊維として不織布を用いる場合、不織布を筐体２の外周に複数回巻き付けることによって熱可塑性樹脂層を形成すればよい。なお、熱可塑性樹脂層は、不織布でなくともよく、織物や編物であってもよい。繊維径や孔径の調整のし易さから、不織布が好ましい。また、不織布は広範囲の波長帯域の光に対して高い反射性能を示す材料で形成される。
【００１５】
熱可塑性樹脂層を、熱可塑性樹脂の繊維を用いて形成する場合、平均繊維径が０．１μｍ以上１．０μｍ以下の繊維であることが好ましい。平均繊維径が０．１μｍ以上１．０μｍ以下の繊維を用いることによって、紫外線の波長帯域の光に対して反射性能を高めることができ、筐体２の中空部への照射効率を高めることができる。
平均繊維径は、走査型電子顕微鏡（ＳＥＭ）（例えば、日本電子株式会社製、装置型式：ＪＳＭ−６５１０）を用いて求める。
具体的には、熱可塑性樹脂製の繊維で形成されたシート状布を、１０ｃｍ×１０ｃｍの大きさにカットし、布と対向する面が共に６０℃の２枚の鉄板で挟むことにより、０．３０ＭＰａの圧力で９０秒間プレスした後、この布に白金を蒸着する。
【００１６】
そして、ＳＥＭを用いて、加速電圧１５ｋＶ、ワーキングディスタンス２１ｍｍの条件により撮影する。撮影倍率は、例えば平均繊維径が０．５μｍ未満の糸は１００００倍、平均繊維径が０．５μｍ以上１．５μｍ未満の糸は６０００倍、１．５μｍ以上の糸は４０００倍とする。それぞれの撮影倍率での撮影視野は、例えば１００００倍では、１２．７μｍ×９．３μｍ、６０００倍では２１．１μｍ×１５．９μｍ、４０００倍では３１．７μｍ×２３．９μｍとする。ランダムに繊維１００本以上を撮影し、全ての繊維径を測長し、これに基づき平均繊維径を求める。このとき、糸長方向で融着している繊維同士は測定対象から省く。
【００１７】
また、熱可塑性樹脂の繊維を用いる場合、熱可塑性樹脂層は、目付が１０ｇ／ｍ２以上５０ｇ／ｍ２以下であり、厚みが５０μｍ以上１０００μｍであることが好ましく、厚みが８０μｍ以上６００μｍ以下であることが好ましく、さらに８０μｍ以上４００μｍ以下であることが好ましい。目付が１０ｇ／ｍ２以下では殺菌装置の反射シートとして使用する不織布を製造する際に不織布が破断するため、連続生産ができない。目付が５０ｇ／ｍ２以上では、不織布を製造する際に不織布を吸引するファンの能力が足りないため、不織布を構成する繊維が吹き飛ばされて、連続生産ができない。また、目付が大きい方が不織布が斑になりにくいため、光学特性の均一性の観点から好ましい。
【００１８】
また、厚みが薄い場合、紫外線は熱可塑性樹脂層を透過して、被覆部５の外周に設けられている部材を劣化させる可能性がある。また、厚みがありすぎると、製造上の負荷となる。そのため、ある程度の厚みを有する熱可塑性樹脂の繊維からなる布等を用い、筐体２に巻き付ける回数を調整することによって紫外線の透過を防止する。筐体２に巻き付ける回数が少なければ製造が簡易であり、巻数が多ければ、熱可塑性樹脂の繊維の貫通孔の分布や貫通孔のむらなどを低減することができる。
熱可塑性樹脂層の目付は、ＪＩＳ−Ｌ−１９０６に準拠して測定する。
【００１９】
例えば熱可塑性樹脂層として不織布を用いる場合、不織布の両端部１０ｃｍを除いて、縦２０ｃｍ×横２０ｃｍのサンプルを３枚切り取り、質量を測定してその平均値を単位面積当たりの質量に換算して目付を演算する。
熱可塑性樹脂層の厚みは、圧縮弾性試験機（例えば、Ｅ−２型）を用いて、測定面積４ｃｍ２下において、４０ｇ荷重時の熱可塑性樹脂層としての不織布の厚さ（ｍｍ）を測定する。
また、熱可塑性樹脂は、単独重合体、共重合体、複数の樹脂を混合したもの、のいずれであってもよく、ポリオレフィン樹脂又はポリアミド樹脂を含むことが好ましく、さらにポリエチレン樹脂及びポリプロピレン樹脂の少なくともいずれか一方を含むことが好ましい。
【００２０】
さらに、熱可塑性樹脂層は、孔径分布が次式（１）及び（２）を満たすことが好ましい。
Ｄｍａｘ／Ｄａｖｅ＜２．００              ……（１）
Ｄｍａｘ／Ｄｍｉｎ＜３．５０              ……（２）
なお、（１）式及び（２）式において、Ｄｍａｘは最大孔径（μｍ）を表し、Ｄａｖｅは平均孔径（μｍ）を表し、Ｄｍｉｎは最小孔径（μｍ）を表す。
【００２１】
孔径は好ましくはＤｍａｘ／Ｄａｖｅ＜２．００であり、Ｄｍａｘ／Ｄａｖｅ＜１．７５がより好ましく、Ｄｍａｘ／Ｄａｖｅ＜１．５０がさらに好ましい。ここで、Ｄｍａｘ／Ｄａｖｅ＝１が、理論上、不織布を構成する繊維で構成される孔径が完全に同一である理想的な状態における孔径分布である。Ｄｍａｘ／Ｄａｖｅ＜２．００にすることで、反射性能を均一にすることができる。
熱可塑性樹脂層の空隙率は５０％以上９０％以下であることが好ましい。より好ましくは７０％以上９０％以下であり、さらに好ましくは８０％以上９０％以下である。空隙率が高い程、不織布の三次元構造を活かして光を反射する繊維境界面が増加するため、反射率が向上する。
【００２２】
熱可塑性樹脂層の空隙率は、例えば、試料を構成する素材、すなわち熱可塑性樹脂層を形成する例えば不織布の繊維の密度と、目付から計算される試料を構成する素材のみの体積（Ａ）と不織布の厚みに試料の面積を掛けて得られる見かけの体積（Ｂ）を求める。そして、体積（Ａ）及び（Ｂ）をもとに次式（３）から空隙率を演算する。
空隙率（％）＝｛１−（Ａ／Ｂ）｝×１００          ……（３）
また、熱可塑性樹脂層の地合指数は１２５以下であることが好ましい。より好ましくは１００以下であり、さらに好ましくは７５以下である。地合指数が小さい程、孔径分布が緻密且つ最大孔径が小さくなり、反射率が向上する。
【００２３】
地合指数は透過式地合計（例えば装置型式：ＦＭＴ−ＭIII  野村商事株式会社製）を用いて測定する。まず、サンプルをセットしない状態で、光源点灯時／消灯時の透過光量をＣＣＤカメラでそれぞれ測定し、続いて、Ａ４サイズにカットした不織布をセットした状態で同様に透過光量を測定し、平均透過率、平均吸光度、標準偏差（吸光度のバラツキ）を求める。地合指数は、標準偏差÷平均吸光度×１０で求めることができる。地合指数は地合が良い程小さく、悪いもの程大きな値になる。
なお、被覆部５は、図１に示すように、筐体２の外周全面に設けられていてもよく、部分的に設けられていてもよい。少なくとも光源６が照射する紫外線が、直接照射される位置に被覆部５が設けられていることが好ましい。
【００２４】
また、図１には記載されていないが、被覆部５の外周は、熱可塑性樹脂の繊維からなる布等を巻き付けた後の固定用として、紫外線透過性の低い材料で固定しても良い。熱可塑性樹脂の繊維を透過するわずかな紫外線が被覆部５の外周部へ漏れ出すことを防ぐことが可能である。例えば、熱収縮チューブで被覆部５を固定すればよい。
光源６は、流出側接液部４の光源６用のスペースに配置される。具体的には、光源６は、流出側接液部４のスペースに、照射面が筐体２の中空部を向くように配置される。光源６用のスペースには、例えば光透過性の部材からなる窓部が形成されている。これにより、筐体２の中空部に向けて光が照射されることになる。光源６は、発光波長のピークが２００ｎｍ以上３００ｎｍ以下であって、例えば発光ダイオード（ＬＥＤ）で形成される。
【００２５】
なお、ここでは、被照射体として流体を適用した場合について説明するが、流動性を有していればよく、液体状のもの、氷、砂等の多数の細かい粒又は粒子から構成される粉体であってもよい。液体状のものとは具体的には、水、水溶液、エマルジョン等といった流動性を有するもの全般であり、飲食用の液体又は非飲料用に用いられる液体がある。飲食用の液体とは、例えば、水、清涼飲料、乳製品飲料、牛乳、食用の油などが挙げられる。また、シャーベット、ゼリー、ソフトクリーム、スムージー、ココア又はチョコレート飲料等も含む。非飲食の液体とは、例えば超純水、洗浄水、弱酸性水、弱アルカリ性水等、また工業原料の水溶液、水系塗料等の工業製品が挙げられる。
【００２６】
このように、本発明の実施形態に係る殺菌装置１は、被覆部５を熱可塑性樹脂層で形成したため、加工性を向上させることができる。そのため、殺菌装置１の小型化を図る上で有利な構造とすることができると共に、被覆部５の、筐体２の外周面への界面接着性を向上させることができる。
なお、上記実施形態においては、光源６を一つ設けた場合について説明したが、光源６の数は、一つに限るものではなく、被照射体を殺菌することができれば個数は問わない。光源６の数が多いほど殺菌効率が向上するが、多すぎると放熱を考慮する必要があり、電力も多くかかる。また、光源６の配置位置は、筐体２に対して対称性をもって照射できる位置に配置することが好ましい。
【００２７】
例えば、光源６を四つ設ける場合には、図２に示すように、図１に示す殺菌装置１において流出側接液部４に代えて、中心部に流出口２ｏｕｔを備える流出側接液部１１を用いる。
流出側接液部１１は、流入側接液部３と同様に、図２に示すように、中心部に流出口２ｏｕｔとなる孔が開いた円筒状の構造を有する円筒部１１ａと、円筒部１１ａの下端側外周面に形成されたフランジ部１１ｂとを備える。フランジ部１１ｂの外径は、被覆部５の外径と同一である。円筒部１１ａの外径は筐体２の内径と同一である。そして、円筒部１１ａを筐体２に挿入し、フランジ部１１ｂと筐体２及び被覆部５の端部とを例えば接着樹脂により密着させることで筐体２内を水密に保つようになっている。この流出側接液部１１の、上端側の端面に、筐体２の中空部を向くように、四つの光源６が点対象となるように配置される。
【００２８】
また、例えば、二つの光源６を殺菌装置１の側面に設ける場合には、図３に示すように、図２に示す殺菌装置１において、二つの光源６を、流出側接液部１１に設けるのではなく、筐体２の長手方向略中央部付近に、二つの光源６の照射面が互いに向かい合うように配置する。このとき、光源６の配置位置には被覆部５を設けないようにし、光源６の照射面と、筐体２の外周面とを対向させて配置する。これによって、光源６の照射光が被覆部５によって遮られることなく、筐体２の内部を流動する被照射体に対して照射を行うことができる。
【００２９】
また、本発明の一実施形態に係る殺菌装置１は、図１〜図３に示すように、流入側接液部３及び流出側接液部４をそれぞれ筐体２の端部に挿入し、接着剤を用いて接合する場合について説明したがこれに限るものではない。
例えば、流入側接液部３に代えて、図４に示すように、外径が被覆部５の外径よりも大きく、中央部に流入口２ｉｎとなる孔が形成された円盤状の流入側接液部２１を設ける。同様に流出側接液部４に代えて、外径が被覆部５の外径よりも大きく、環状の流出口２ｏｕｔが形成された円盤状の流出側接液部２２を設ける。そして、流入側接液部２１と流出側接液部２２との間に筐体２及び被覆部５を挟んだ状態で、流入側接液部２１及び流出側接液部２２の縁部近傍の、周方向に等間隔に離隔した四カ所乃至八カ所程度をボルトネジ２３で挟み込み、このとき、筐体２の端部をパッキン等を用いて絞め込むことで、流入側接液部２１及び流出側接液部２２と、筐体２及び被覆部５とを固定してもよい。
【００３０】
なお、流出側接液部２２は、円盤状の部材において、流出口２ｏｕｔとなる環状部材を除去した残りの、円柱状の小径部２２ａと、環状の大径部２２ｂとを、図１における流出側接液部４と同様に、周方向の例えば１８０°離れた２箇所において、径方向を向く板状の部材２２ｃで連結することで互いに一体に形成される。
なお、図２から図４のそれぞれにおいて、（ａ）は（ｂ）のＡ−Ａ′線断面図、（ｂ）は縦断面図、（ｃ）は（ｂ）のＢ−Ｂ′線断面図である。図２〜図４においては、上側を流入側、下側を流出側としているが、これに限るものではなく、下側を流入側、上側を流出側としてもよい。
また、上記実施形態において、光源６を流入側接液部３に設けてもよく、流入側接液部３又は２１、流出側接液部４又は１１又は２２、被覆部５の外周のうちの少なくともいずれか一つに設ければよい。
【実施例】
【００３１】
内径φが５０ｍｍ、外径φが５４ｍｍ、長さが１００ｍｍの石英管からなる筐体２に、被覆部５としてメルトブローン不織布を３回巻き付けて、図１から図４に示す殺菌装置１それぞれを作製した。なお、図１及び図４に示す一つの光源６を備えた殺菌装置１の流入口２ｉｎの直径φは１０ｍｍとし、流出口２ｏｕｔの外径φは３４ｍｍとし、流出口２ｏｕｔの内径φは２６ｍｍとした。また、図２及び図３に示す複数の光源６を備えた殺菌装置１の流入口２ｉｎ及び流出口２ｏｕｔの直径φはそれぞれ１０ｍｍとした。
この殺菌装置１を用いて、被覆部５としての不織布の条件を変化させた。いずれの殺菌装置１も、実施例１から実施例４のそれぞれの条件において、良好な殺菌性能が得られることが確認された。
【００３２】
［実施例１］
被覆部５としてポリプロピレンを含む不織布を用いた。
目付：２０ｇ／ｍ２
繊維径：０．５８μｍ
厚み：１１１μｍ
最大孔径Ｄｍａｘ：５．３２μｍ
平均孔径Ｄａｖｅ：３．４５μｍ
最小孔径Ｄｍｉｎ：１．８２μｍ
空隙率：７９．８％
地合指数：１０２
【００３３】
［実施例２］
被覆部５としてポリプロピレンを含む不織布を用いた。
目付：１５ｇ／ｍ２
繊維径：０．２９μｍ
厚み：８０μｍ
最大孔径Ｄｍａｘ：２．６１μｍ
平均孔径Ｄａｖｅ：１．８３μｍ
最小孔径Ｄｍｉｎ：１．１３μｍ
空隙率：７９．２％
地合指数：８８
【００３４】
［実施例３］
被覆部５としてポリプロピレンを含む不織布を用いた。
目付：３５ｇ／ｍ２
繊維径：０．４３μｍ
厚み：２４５μｍ
最大孔径Ｄｍａｘ：１．３２μｍ
平均孔径Ｄａｖｅ：０．６９μｍ
最小孔径Ｄｍｉｎ：０．４５μｍ
空隙率：８８．７％
地合指数：６３
【００３５】
［実施例４］
被覆部５としてナイロン６を含む不織布を用いた。
目付：２０ｇ／ｍ２
繊維径：０．５２μｍ
厚み：１０２μｍ
最大孔径Ｄｍａｘ：４．９２μｍ
平均孔径Ｄａｖｅ：３．１５μｍ
最小孔径Ｄｍｉｎ：１．５２μｍ
空隙率：８２．８％
地合指数：１００
【００３６】
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【００３７】
１  殺菌装置
２  筐体
２ｉｎ  流入口
２ｏｕｔ  流出口
３、２１  流入側接液部
４、１１、２２  流出側接液部
５  被覆部
６  光源
【図１】
2019176985.tif 000003
【図２】
2019176985.tif 000004
【図３】
2019176985.tif 000005
【図４】
2019176985.tif 000006